(57)【要約】【課題】髪ケア効果を高めつつスリム化を図ることのできるヘアーアイロンを提供する。【解決手段】ヘアーアイロン１０の第１毛髪挟持部４０Ａ内には、イオンを生成する放電装置６００が配置されており、第１毛髪挟持部４０Ａには放電装置６００で生成されたイオンを外部に放出するイオン放出口４２１Ａが形成されている。また、放電装置６００は、放電極８３０を有する第１電極８００を備えており、第１電極８００は、略板状に形成された電極本体部８１０を備えている。また、電極本体部８１０を板厚方向から視た状態で、電極本体部８１０の一端側の辺部８１１に放電極８３０が複数形成されている。そして、複数の放電極８３０は、互いに形状の異なる二種類の放電極８３１，８３２を有している。【選択図】図９
2018102540.tif 000002
【特許請求の範囲】
【請求項１】
第１毛髪挟持面を有する第１毛髪挟持部と、前記第１毛髪挟持面に対向可能な第２毛髪挟持面を有する第２毛髪挟持部と、を備え、前記第１毛髪挟持面と前記第２毛髪挟持面とを対向させた状態で毛髪が狭持されるヘアーアイロンであって、
前記第１毛髪挟持部内にはイオンを生成する放電装置が配置されており、
前記第１毛髪挟持部には前記放電装置で生成されたイオンを外部に放出するイオン放出口が形成されており、
前記放電装置は、放電極を有する第１電極を備えており、
前記第１電極は、略板状に形成された電極本体部を備えており、
前記電極本体部を板厚方向から視た状態で、前記電極本体部の一端側の辺部に前記放電極が複数形成されており、
前記複数の放電極は、互いに形状の異なる二種類の放電極を有していることを特徴とするヘアーアイロン。
【請求項２】
前記放電装置は、前記放電極とは離間配置され、当該放電極との間で放電を行う対極を有する第２電極を備えており、
前記辺部を前記一端側から視た状態で、前記対極は、前記辺部の少なくとも二方を囲うように配置されていることを特徴とする請求項１に記載のヘアーアイロン。
【請求項３】
第１毛髪挟持面を有する第１毛髪挟持部と、前記第１毛髪挟持面に対向可能な第２毛髪挟持面を有する第２毛髪挟持部と、を備え、前記第１毛髪挟持面と前記第２毛髪挟持面とを対向させた状態で毛髪が狭持されるヘアーアイロンであって、
前記第１毛髪挟持部内にはイオンを生成する放電装置が配置されており、
前記第１毛髪挟持部には前記放電装置で生成されたイオンを外部に放出するイオン放出口が形成されており、
前記放電装置は、放電極を有する第１電極と、前記放電極とは離間配置され、当該放電極との間で放電を行う対極を有する第２電極と、を備えており、
前記第１電極は、略板状に形成された電極本体部を備えており、
前記電極本体部を板厚方向から視た状態で、前記電極本体部の一端側の辺部に前記放電極が形成されており、
前記辺部を前記一端側から視た状態で、前記対極は、前記辺部の少なくとも二方を囲うように配置されていることを特徴とするヘアーアイロン。
【請求項４】
前記対極が枠状に形成されており、前記辺部を前記一端側から視た状態で、前記辺部の四方を囲うように配置されていることを特徴とする請求項２または請求項３に記載のヘアーアイロン。
【請求項５】
前記第１毛髪挟持部内には、液体吸入口を有し、前記放電極に液体を供給する液体通路が形成されていることを特徴とする請求項１〜４のうちいずれか１項に記載のヘアーアイロン。
【請求項６】
前記第１毛髪挟持部内には、前記電極本体部を保持する電極保持部が形成されており、
前記電極保持部における前記放電極の近傍には、前記液体通路の一部を構成する貫通孔が形成されていることを特徴とする請求項５に記載のヘアーアイロン。
【請求項７】
前記第１毛髪挟持面に前記液体吸入口が形成されていることを特徴とする請求項５または請求項６に記載のヘアーアイロン。
【請求項８】
前記液体吸入口が前記第１毛髪挟持面の端部に形成されていることを特徴とする請求項７に記載のヘアーアイロン。
【発明の詳細な説明】
【技術分野】
【０００１】
本発明は、ヘアーアイロンに関する。
【背景技術】
【０００２】
従来、髪ケア装置に放電装置を搭載し、放電装置で生成されたイオンを毛髪にあてることで髪ケア効果を高めるようにしたものが知られている（例えば、特許文献１参照）。
【０００３】
この特許文献１では、髪ケア装置として、ヘアードライヤー、ヘアーアイロンおよびヘアーブラシを例示している。
【先行技術文献】
【特許文献】
【０００４】
【特許文献１】特開２００９−２６８５０２号公報
【発明の概要】
【発明が解決しようとする課題】
【０００５】
ところで、近年、ヘアーアイロンにおいてはスリークデザイン（細身の形状）が要求されることが多くなってきている。
【０００６】
しかしながら、上記特許文献１に記載のヘアーアイロンには、ヘアードライヤーに搭載した放電装置とほぼ同一の形状をした放電装置が搭載されている。すなわち、上記特許文献１には、ヘアードライヤーに搭載された放電装置の構成を単にヘアーアイロンに適用させた構成が開示されているだけである。
【０００７】
そして、このような構成とすると、放電装置の設置スペースを確保するためにヘアーアイロンの幅や厚みを大きくする必要があり、ヘアーアイロンが大型化してしまうという問題がある。
【０００８】
このように、上記従来の技術では、髪ケア効果を高めつつ、ヘアーアイロンのスリム化を図ることが難しかった。
【０００９】
本発明は、上記従来の課題を解決するもので、髪ケア効果を高めつつスリム化を図ることのできるヘアーアイロンを提供することを目的とする。
【課題を解決するための手段】
【００１０】
上記従来の課題を解決するために、本発明では、ヘアーアイロンが、第１毛髪挟持面を有する第１毛髪挟持部と、前記第１毛髪挟持面に対向可能な第２毛髪挟持面を有する第２毛髪挟持部と、を備えるようにしている。なお、このヘアーアイロンは、前記第１毛髪挟持面と前記第２毛髪挟持面とを対向させた状態で毛髪が狭持されるものである。
【００１１】
また、前記第１毛髪挟持部内にはイオンを生成する放電装置が配置されており、前記第１毛髪挟持部には前記放電装置で生成されたイオンを外部に放出するイオン放出口が形成されている。
【００１２】
また、前記放電装置は、放電極を有する第１電極を備えており、前記第１電極は、略板状に形成された電極本体部を備えている。
【００１３】
そして、前記電極本体部を板厚方向から視た状態で、前記電極本体部の一端側の辺部に前記放電極が複数形成されており、前記複数の放電極は、互いに形状の異なる二種類の放電極を有している。
【００１４】
このように、略板状の電極本体部の一端側の辺部に放電極が形成されるようにすれば、第１毛髪挟持部内における放電装置の配置スペースを極力小さくすることが可能となって、ヘアーアイロンのスリム化を図ることができるようになる。さらに、複数の放電極が、互いに形状の異なる二種類の放電極を有するようにすれば、二種類の放電極の主な働きを異ならせることができるようになるため、髪ケア効果をより向上させることができるようになる。
【００１５】
このように、上記ヘアーアイロンによれば、髪ケア効果を高めつつスリム化を図ることができるようになる。
【００１６】
また、上記従来の課題を解決するために、本発明では、ヘアーアイロンが、第１毛髪挟持面を有する第１毛髪挟持部と、前記第１毛髪挟持面に対向可能な第２毛髪挟持面を有する第２毛髪挟持部と、を備えるようにしている。なお、このヘアーアイロンも、前記第１毛髪挟持面と前記第２毛髪挟持面とを対向させた状態で毛髪が狭持されるものである。
【００１７】
また、前記第１毛髪挟持部内にはイオンを生成する放電装置が配置されており、前記第１毛髪挟持部には前記放電装置で生成されたイオンを外部に放出するイオン放出口が形成されている。
【００１８】
また、前記放電装置は、放電極を有する第１電極と、前記放電極とは離間配置され、当該放電極との間で放電を行う対極を有する第２電極と、を備えており、前記第１電極は、略板状に形成された電極本体部を備えている。
【００１９】
そして、前記電極本体部を板厚方向から視た状態で、前記電極本体部の一端側の辺部に前記放電極が形成されており、前記辺部を前記一端側から視た状態で、前記対極は、前記辺部の少なくとも二方を囲うように配置されている。
【００２０】
このように、略板状の電極本体部の一端側の辺部に放電極が形成されるようにするとともに、放電極との間で放電を行う対極を放電極が形成された辺部の少なくとも二方を囲うように配置すれば、対極側における電解集中を緩和させることができるようになる。その結果、放電極と対極との間でアーク放電が発生してしまうのを抑制することができるようになるため、対極を放電極により近づけることができるようになって、第１毛髪挟持部内における放電装置の配置スペースを極力小さくすることが可能となる。
【００２１】
このように、髪ケア効果を向上させるための放電装置の配置スペースを極力小さくできるようにすることで、髪ケア効果を高めつつスリム化を図ることのできるヘアーアイロンを得ることができるようになる。
【発明の効果】
【００２２】
本発明によれば、髪ケア効果を高めつつスリム化を図ることのできるヘアーアイロンを得ることができる。
【図面の簡単な説明】
【００２３】
【図１】本発明の実施の形態１にかかるヘアーアイロンを示す平面図である。
【図２】本発明の実施の形態１にかかるヘアーアイロンを示す側面図であって、第１毛髪狭持面を第２毛髪挟持面に対向させた状態における側面図である。
【図３】本発明の実施の形態１にかかるヘアーアイロンを示す側面図であって、第１毛髪挟持部と第２毛髪挟持部とを離間させた状態における側面図である。
【図４】図１のＡ−Ａ断面図である。
【図５】図２のＢ−Ｂ断面図である。
【図６】本発明の実施の形態１にかかるヘアーアイロンの第１アーム部を、第１毛髪挟持面側から視た図である。
【図７】本発明の実施の形態１にかかるヘアーアイロンの第１アーム部の内部構成を分解して示す図である。
【図８】本発明の実施の形態１にかかるヘアーアイロンの第１毛髪挟持部材の上に放電装置を載置した状態を示す斜視図である。
【図９】本発明の実施の形態１にかかるヘアーアイロンの放電装置を上側から視た斜視図である。
【図１０】本発明の実施の形態１にかかるヘアーアイロンの放電装置を下側から視た斜視図である。
【図１１】本発明の実施の形態１にかかるヘアーアイロンの放電装置を、放電極の突出方向から視た斜視図である。
【発明を実施するための形態】
【００２４】
本発明の実施の形態にかかるヘアーアイロンは、第１毛髪挟持面を有する第１毛髪挟持部と、前記第１毛髪挟持面に対向可能な第２毛髪挟持面を有する第２毛髪挟持部と、を備えている。このヘアーアイロンは、前記第１毛髪挟持面と前記第２毛髪挟持面とを対向させた状態で毛髪が狭持されるものである。
【００２５】
また、前記第１毛髪挟持部内にはイオンを生成する放電装置が配置されており、前記第１毛髪挟持部には前記放電装置で生成されたイオンを外部に放出するイオン放出口が形成されている。
【００２６】
また、前記放電装置は、放電極を有する第１電極を備えており、前記第１電極は、略板状に形成された電極本体部を備えている。
【００２７】
そして、前記電極本体部を板厚方向から視た状態で、前記電極本体部の一端側の辺部に前記放電極が複数形成されており、前記複数の放電極が、互いに形状の異なる二種類の放電極を有するものである。
【００２８】
このように、略板状の電極本体部の一端側の辺部に放電極が形成されるようにすれば、第１毛髪挟持部内における放電装置の配置スペースを極力小さくすることが可能となって、ヘアーアイロンのスリム化を図ることができるようになる。さらに、複数の放電極が、互いに形状の異なる二種類の放電極を有するようにすれば、二種類の放電極の主な働きを異ならせることができるようになるため、髪ケア効果をより向上させることができるようになる。
【００２９】
このように、上記ヘアーアイロンによれば、髪ケア効果を高めつつスリム化を図ることができるようになる。
【００３０】
また、前記放電装置が、前記放電極とは離間配置され、当該放電極との間で放電を行う対極を有する第２電極を備えるようにすることができる。
【００３１】
そして、前記辺部を前記一端側から視た状態で、前記辺部の少なくとも二方を囲うように前記対極が配置されるようにすることができる。
【００３２】
このように、略板状の電極本体部の一端側の辺部に放電極が形成されるようにするとともに、放電極との間で放電を行う対極を放電極が形成された辺部の少なくとも二方を囲うように配置すれば、対極側における電解集中を緩和させることができるようになる。その結果、放電極と対極との間でアーク放電が発生してしまうのを抑制することができるようになるため、対極を放電極により近づけることができるようになって、第１毛髪挟持部内における放電装置の配置スペースを極力小さくすることが可能となる。
【００３３】
また、本発明の実施の形態にかかるヘアーアイロンは、第１毛髪挟持面を有する第１毛髪挟持部と、前記第１毛髪挟持面に対向可能な第２毛髪挟持面を有する第２毛髪挟持部と、を備えている。このヘアーアイロンも、前記第１毛髪挟持面と前記第２毛髪挟持面とを対向させた状態で毛髪が狭持されるものである。
【００３４】
また、前記第１毛髪挟持部内にはイオンを生成する放電装置が配置されており、前記第１毛髪挟持部には前記放電装置で生成されたイオンを外部に放出するイオン放出口が形成されている。
【００３５】
また、前記放電装置は、放電極を有する第１電極と、前記放電極とは離間配置され、当該放電極との間で放電を行う対極を有する第２電極と、を備えており、前記第１電極は、略板状に形成された電極本体部を備えている。
【００３６】
そして、このようなヘアーアイロンにおいて、前記電極本体部を板厚方向から視た状態で、前記電極本体部の一端側の辺部に前記放電極が形成されており、前記辺部を前記一端側から視た状態で、前記辺部の少なくとも二方を囲うように前記対極が配置されるようにすることができる。
【００３７】
このように、略板状の電極本体部の一端側の辺部に放電極が形成されるようにするとともに、放電極との間で放電を行う対極を放電極が形成された辺部の少なくとも二方を囲うように配置すれば、対極側における電解集中を緩和させることができるようになる。その結果、放電極と対極との間でアーク放電が発生してしまうのを抑制することができるようになるため、対極を放電極により近づけることができるようになって、第１毛髪挟持部内における放電装置の配置スペースを極力小さくすることが可能となる。
【００３８】
このように、髪ケア効果を向上させるための放電装置の配置スペースを極力小さくできるようにすることで、髪ケア効果を高めつつスリム化を図ることのできるヘアーアイロンを得ることができるようになる。
【００３９】
また、前記対極が枠状に形成されており、前記辺部を前記一端側から視た状態で、前記辺部の四方を囲うように配置されるようにすることができる。
【００４０】
こうすれば、対極側における電解集中をより緩和させることができるようになるため、対極を放電極により近づけることができるようになる。その結果、第１毛髪挟持部内における放電装置の配置スペースをより小さくすることが可能となる。
【００４１】
また、前記第１毛髪挟持部内に、液体吸入口を有し、前記放電極に液体を供給する液体通路が形成されるようにすることができる。
【００４２】
こうすれば、放電装置自体に液体供給機構を設けることなく、放電装置にて液体を帯電微粒子化させることができるようになる。
【００４３】
また、前記第１毛髪挟持部内に、前記電極本体部を保持する電極保持部を形成するとともに、前記電極保持部における前記放電極の近傍に、前記液体通路の一部を構成する貫通孔を形成することもできる。
【００４４】
こうすれば、液体通路の省スペース化を図ることが可能となる上、液体吸入口から導入された液体をより効率よく放電極に供給することができるようになる。
【００４５】
また、前記第１毛髪挟持面に前記液体吸入口が形成されるようにすることもできる。
【００４６】
このように、第１毛髪挟持面の中に液体吸入口が形成されるようにすれば、第１毛髪挟持面の外側に液体吸入口の形成位置を確保する必要がなくなるため、ヘアーアイロンのより一層のスリム化を図ることができるようになる。
【００４７】
また、前記液体吸入口が前記第１毛髪挟持面の端部に形成されるようにすることもできる。
【００４８】
こうすれば、第１毛髪挟持面における毛髪を挟持する部分が液体吸入口によって分断されてしまうのを抑制することができるようになる。その結果、毛髪への施術効果が損なわれてしまうのを抑制しつつ、ヘアーアイロンのより一層のスリム化を図ることができるようになる。
【００４９】
以下、本発明の実施の形態について図面を参照しながら詳細を説明する。なお、この実施の形態によって本発明が限定されるものではない。
【００５０】
また、以下の説明では、第１毛髪狭持面と第２毛髪狭持面とを近づける（第１毛髪挟持部と第２毛髪挟持部とを閉じる）とともに、第１毛髪狭持面が上を向いた状態におけるヘアーアイロンを基準として上下方向を規定する。また、ヘアーアイロンの毛髪挟持部側を前方、把持部側を後方として説明する。
【００５１】
さらに、上記基準における前後方向（第１毛髪挟持面および第２毛髪挟持面の長手方向）をＸ方向、幅方向（第１毛髪挟持面および第２毛髪挟持面の短手方向）をＹ方向、上下方向（上記基準における第１毛髪挟持部および第２毛髪挟持部の厚さ方向）をＺ方向として説明する。
【００５２】
（実施の形態１）
本実施の形態１にかかるヘアーアイロン１０は、図１〜図３に示すように、回動連結部１１０を介して略Ｖ字状に拡開可能に連結された第１アーム部（上側アーム部）２０Ａおよび第２アーム部（下側アーム部）２０Ｂを備えている。そして、第１アーム部２０Ａと第２アーム部２０Ｂとを回動連結部１１０を介して相対回動させることで、第１アーム部２０Ａおよび第２アーム部２０Ｂの先端同士を接離できるようにしている。
【００５３】
すなわち、本実施の形態１では、第１アーム部２０Ａと第２アーム部２０Ｂとの相対回動に伴って、後述する第１毛髪挟持面５６０Ａと第２毛髪挟持面５６０Ｂとを互いに近づけたり遠ざけたりすることができるようにしている。
【００５４】
また、本実施の形態１では、図３および図４に示すように、ヘアーアイロン１０には、当該ヘアーアイロン１０を閉じる際や開く際に、第１アーム部２０Ａと第２アーム部２０ＢとがＹ方向（幅方向）にずれてしまうのを抑制する位置ずれ抑制部１５０が形成されている。具体的には、第１アーム部２０Ａにおける回動連結部１１０の近傍に、下方に開口した筒部３３１Ａを設けるとともに、第２アーム部２０Ｂにおける回動連結部１１０の近傍に、上方に開口して、筒部３３１Ａ内に挿入可能な筒部３３１Ｂを設けている。
【００５５】
そして、筒部３３１Ｂを筒部３３１Ａ内に挿入させた状態で、ヘアーアイロン１０を閉じたり開いたりさせるようにしている。このように、本実施の形態１では、筒部３３１Ａと筒部３３１Ｂとで、位置ずれ抑制部１５０を構成している。
【００５６】
さらに、本実施の形態１では、筒部３３１Ａと筒部３３１Ｂとで形成された空間部には、コイルスプリング１６０が収容されており、このコイルスプリング１６０によって、第１アーム部２０Ａと第２アーム部２０Ｂとを互いに拡開するように付勢している。なお、本実施の形態１では、図示せぬストッパによって、第１アーム部２０Ａと第２アーム部２０Ｂの拡開方向への回動が規制されている。
【００５７】
また、ヘアーアイロン１０の後端部１０ａには、ロックボタン１２０が形成されており、ロックボタン１２０を操作（押圧）することで、第１アーム部２０Ａと第２アーム部２０Ｂとを閉じた状態で保持できるようになっている。
【００５８】
すなわち、ヘアーアイロン１０は、コイルスプリング１６０の付勢力によって第１アーム部２０Ａと第２アーム部２０Ｂとが互いに拡開してしまうのを、ロックボタン１２０の操作によって規制できるようになっている。
【００５９】
また、第１アーム部２０Ａおよび第２アーム部２０Ｂの回動連結部１１０側（ヘアーアイロン１０のＸ方向後側）には、第１把持部（上側把持部）３０Ａおよび第２把持部（下側把持部）３０Ｂがそれぞれ設けられている。そして、第１アーム部２０Ａおよび第２アーム部２０Ｂの先端側（ヘアーアイロン１０のＸ方向前側）には、第１毛髪挟持部（上側毛髪挟持部）４０Ａおよび第２毛髪挟持部（下側毛髪挟持部）４０Ｂがそれぞれ設けられている。
【００６０】
また、第１毛髪挟持部４０Ａおよび第２毛髪挟持部４０Ｂは、それぞれ、第１アーム部２０Ａおよび第２アーム部２０Ｂを相対的に回動させた際に、互いに近づいたり遠ざかったりすることが可能な（対向させることが可能な）第１毛髪挟持面（上側毛髪挟持面）５６０Ａおよび第２毛髪挟持面（下側毛髪挟持面）５６０Ｂを有している。
【００６１】
また、本実施の形態１では、各毛髪挟持部４０Ａ，４０Ｂは、図５に示すように、それぞれの外表面４２０ａＡ，４２０ａＢが湾曲状に形成されており、この外表面（外表面４２０ａＡや外表面４２０ａＢ）に毛髪を巻き付けることで、毛髪にカール状の癖付けを施すことができるようになっている。
【００６２】
なお、本実施の形態１では、第１毛髪挟持部４０Ａの外表面とは、第１毛髪挟持部４０Ａの外面のうち、第１毛髪挟持面５６０Ａの背面側に存在する面のことをいう。また、第２毛髪挟持部４０Ｂの外表面とは、第２毛髪挟持部４０Ｂの外面のうち、第２毛髪挟持面５６０Ｂの背面側に存在する面のことをいう。
【００６３】
すなわち、図５において、第１毛髪挟持部４０Ａの外面のうち下面以外の面、第２毛髪挟持部４０Ｂの外面のうち上面以外の面が、それぞれ第１毛髪挟持部４０Ａの外表面、第２毛髪挟持部４０Ｂの外表面に相当する。
【００６４】
さらに、本実施の形態１では、第１毛髪挟持部４０Ａおよび第２毛髪挟持部４０Ｂには、図５に示すように、発熱部としてのヒータ５３０Ａおよびヒータ５３０Ｂが設けられている。
【００６５】
また、ヘアーアイロン１０の後端部１０ａには、回転コネクタ１３０を介して電源コード１４０が取り付けられており、この電源コード１４０が、リード線５８１Ｂを介してヒータ（ヒータ５３０Ａやヒータ５３０Ｂ）を制御する制御装置（電気部品）３４０Ｂに電気的に接続されている。
【００６６】
さらに、ヘアーアイロン１０には、図示省略した操作スイッチが設けられており、この操作スイッチを操作することで、ヒータ（ヒータ５３０Ａやヒータ５３０Ｂ）に対する通電のオン・オフを切り換えることができるようになっている。
【００６７】
このようなヘアーアイロン１０を用い、第１毛髪挟持面５６０Ａと第２毛髪挟持面５６０Ｂとで毛髪を挟み込み、ヒータ５３０Ａおよびヒータ５３０Ｂで発生させた熱を第１毛髪挟持面５６０Ａおよび第２毛髪挟持面５６０Ｂを介して毛髪に加えるようにすれば、毛髪にカール状やストレート状の癖付けを施すことができるようになる。
【００６８】
例えば、毛髪へのカール状の癖付けは、以下のようにして行われる。まず、加熱した第１毛髪挟持部４０Ａおよび第２毛髪挟持部４０Ｂを互いに対向させる。そして、第１毛髪挟持部４０Ａと第２毛髪挟持部４０Ｂとの間に、第１毛髪挟持部４０Ａおよび第２毛髪挟持部４０Ｂの幅方向（Ｙ方向）に延在するように毛髪を配置した状態で、第１毛髪挟持面５６０Ａと第２毛髪挟持面５６０Ｂとで毛髪を挟み込む。
【００６９】
次に、毛髪を挟み込んだ状態でヘアーアイロン１０を回転させて、第１毛髪挟持面５６０Ａと第２毛髪挟持面５６０Ｂとで挟み込まれていない根元側の毛髪を外表面４２０ａＡまたは外表面４２０ａＢに押し当てる。そして、毛髪を外表面４２０ａＡまたは外表面４２０ａＢに押し当てた状態で、ヘアーアイロン１０を、毛髪に沿って滑らせながら毛先に向けて引き下ろすことで、毛髪にカール状の癖付けが施される。
【００７０】
なお、毛髪へのストレート状の癖付けは、第１毛髪挟持面５６０Ａと第２毛髪挟持面５６０Ｂとで毛髪を挟み込んだヘアーアイロン１０を回転させずに、毛髪に沿って滑らせながら毛先に向けて引き下ろすことで行われる。
【００７１】
このように、本実施の形態１にかかるヘアーアイロン１０は、毛髪に熱による癖付けを施すことで整髪を行うものである。
【００７２】
上述した第１アーム部２０Ａは、主に外壁をなす第１ケース２１０Ａを備えており、この第１ケース２１０Ａの回動連結部１１０側（ヘアーアイロン１０のＸ方向後側）が、第１把持部３０Ａの外壁をなす第１把持部側ケース３１０Ａとなっている。また、第１ケース２１０Ａの先端側（ヘアーアイロン１０のＸ方向前側）が、第１毛髪挟持部４０Ａの外壁をなす第１毛髪挟持部側ケース４１０Ａとなっている。
【００７３】
本実施の形態１では、第１ケース２１０Ａは、下方に開口した上側ハウジング２２０Ａの開口部分を下側ハウジング２３０Ａで覆うことで中空状に形成されている。
【００７４】
具体的には、下方に開口した第１把持部の上側ハウジング３２０Ａの開口部分をカバー３３０Ａで覆うことで、第１把持部側ケース３１０Ａが中空状に形成されている。また、下方に開口した第１毛髪挟持部の上側ハウジング４２０Ａの開口部分を第１毛髪挟持部材５０Ａで覆うことで、第１毛髪挟持部側ケース４１０Ａが形成されている。
【００７５】
このように、本実施の形態１では、上側ハウジング２２０Ａは、第１把持部の上側ハウジング３２０Ａと第１毛髪挟持部の上側ハウジング４２０Ａとで形成されており、下側ハウジング２３０Ａは、カバー３３０Ａと第１毛髪挟持部材５０Ａとで形成されている。
【００７６】
なお、本実施の形態１では、第１把持部の上側ハウジング３２０Ａと第１毛髪挟持部の上側ハウジング４２０Ａとが一体に形成されている。すなわち、上側ハウジング２２０Ａの回動連結部１１０側が第１把持部の上側ハウジング３２０Ａとなっており、上側ハウジング２２０Ａの先端側が第１毛髪挟持部の上側ハウジング４２０Ａとなっている。
【００７７】
また、カバー３３０Ａと第１毛髪挟持部材５０Ａとは別体に形成されており、上側ハウジング２２０Ａの開口部分を覆うようにそれぞれの部材を取り付けた際に、下側ハウジング２３０Ａが形成されるようになっている。
【００７８】
さらに、本実施の形態１では、第１ケース２１０Ａ内の中空部Ｓ１が仕切り壁２４０Ａによって第１把持部側の中空部Ｓ２と第１毛髪挟持部側の中空部Ｓ３とに仕切られている。
【００７９】
この仕切り壁２４０Ａは、上側ハウジング２２０ＡのＸ方向（長手方向：前後方向）における中央部の内側（下面側）からＺ方向の下側に向けて突出する壁部２２１Ａを備えている。また、仕切り壁２４０Ａは、カバー３３０ＡにおけるＸ方向前側の内側（上面側）からＺ方向の上側に向けて突出する壁部３３３Ａを備えている。さらに、仕切り壁２４０Ａは、パッキン２５０Ａを備えており、壁部２２１Ａと壁部３３３Ａとでパッキン２５０Ａを挟持することで、仕切り壁２４０Ａが形成されている。
【００８０】
そして、第１把持部側の中空部Ｓ２および第１毛髪挟持部側の中空部Ｓ３には、各種の電気部品が収容されている。
【００８１】
本実施の形態１では、第１把持部側の中空部Ｓ２には高出力回路３４０Ａ等の電子部品（電気部品）が収容されており、第１毛髪挟持部側の中空部Ｓ３には放電装置（電気部品）６００が収容されている。この高出力回路３４０Ａと放電装置（電気部品）６００とは、パッキン２５０Ａに形成された挿通孔２５１Ａに挿通されたリード線５８１Ａによって電気的に接続されている。
【００８２】
こうすることで、第１把持部側の中空部Ｓ２に収容された高出力回路３４０Ａ等の電子部品（電気部品）の防水効果を高めることができるようになる。
【００８３】
また、本実施の形態１では、上側ハウジング２２０Ａの先端部（Ｘ方向前側の端部）２２２Ａを、下側（第１毛髪挟持面５６０Ａ側）に向けて湾曲させている。このように先端部２２２Ａを湾曲させることで、ヘアーアイロン１０の使用時に、使用者が先端部２２２Ａをつまむ際につまみやすくなるようにしている。さらに、先端部２２２Ａには突部２２２ａＡが形成されており、この突部２２２ａＡを、先端部２２２Ａをつまむ際の滑り止めとして機能させている。なお、突部２２２ａＡは、ヒータ５３０Ａから先端部（使用者がつまむつまみ部）２２２Ａに伝わる熱を放熱する機能も有している。
【００８４】
また、カバー３３０Ａの回動連結部１１０側（Ｘ方向後側）には、上述した筒部３３１Ａが形成されており、カバー３３０Ａの壁部３３３Ａ側（Ｘ方向前側：第１毛髪挟持部材５０Ａ側）には、下方（第２アーム部２０Ｂ側）に向けて突出するストッパ突起３３２Ａが形成されている。
【００８５】
下側ハウジング２３０Ａの一部を構成する第１毛髪挟持部材５０Ａは、プレート部材５１０Ａを備えており、このプレート部材５１０Ａは、例えば、銅やアルミニウムなど熱伝導性の高い材料で形成されている。また、第１毛髪挟持部材５０Ａは、第１毛髪挟持部の上側ハウジング４２０Ａに支持されてプレート部材５１０Ａを保持する保持部材５２０Ａと、プレート部材５１０Ａに熱的に接続されてプレート部材５１０Ａに熱を伝達するヒータ５３０Ａと、を備えている。
【００８６】
プレート部材５１０Ａは、略板状のプレート部５４０Ａを備えており、このプレート部５４０Ａの表面（下面）に、略平坦状の第１毛髪挟持面５６０Ａが形成されている。本実施の形態１では、第１毛髪挟持面５６０Ａは、平面視（下側から視た状態）で、第１ケース２１０Ａの長手方向に細長い略長方形状に形成されている。
【００８７】
さらに、プレート部５４０Ａは、Ｙ方向（幅方向：第１毛髪挟持部４０Ａの幅方向と同一の方向）の両端部が、第１ケース２１０Ａの内側に向けて屈曲している。そして、第１毛髪挟持面５６０ＡのＹ方向（幅方向）の両端には、図５に示すように、幅方向断面（幅方向に沿った面で切断した面）視で、斜め外側に向けて凸となる湾曲面５６２Ａが形成されている。
【００８８】
すなわち、第１毛髪挟持面５６０Ａは、幅方向中央部の平坦面（平坦部）５６１Ａと、当該平坦面５６１Ａの幅方向両端に形成される湾曲面５６２Ａとで構成されている。
【００８９】
さらに、プレート部材５１０Ａは、プレート部５４０Ａの背面側（上側）に内側（上側）を向くように連設された一対の脚部５５０Ａを備えており、この一対の脚部５５０Ａを保持部材５２０Ａに保持させることで、プレート部材５１０Ａが保持部材５２０Ａに保持されるようにしている。そして、一対の脚部５５０Ａの間に形成された収容部５７０Ａに、ヒータ５３０Ａが収容されている。このとき、収容部５７０Ａに収容したヒータ５３０Ａが、プレート部５４０Ａの内面に当接するようにしている。
【００９０】
なお、本実施の形態１では、ヒータ５３０ＡとしてＰＴＣヒータ（Positive Temperature Coefficient ヒータ）を用いている。このように、ＰＴＣヒータを用いれば、連続的な温度制御を行うことが可能となる。ただし、加熱手段としてＰＴＣヒータを用いる必要はなく、ニクロム線ヒータやその他の加熱手段を用いるようにしてもよい。
【００９１】
保持部材５２０Ａは、下側に開口した形状をしており、天壁部５２１Ａと、天壁部５２１ＡのＹ方向両端に連設されて下方に延在する側壁部５２２Ａ，５２２Ａと、を備えている。
【００９２】
天壁部５２１Ａは、幅方向断面視で上方に突出する略山型に形成されており、この天壁部５２１Ａの上方（天壁部５２１Ａと第１毛髪挟持部の上側ハウジング４２０Ａとの間）には、放電装置６００が配置される空間部（中空部Ｓ３）が形成されている。
【００９３】
天壁部５２１Ａは、Ｙ方向（幅方向）の中央部に位置するとともに、最も上側に位置する上側平坦部５２１ａＡを備えている。また、天壁部５２１Ａは、上側平坦部５２１ａＡのＹ方向（幅方向）の両端にそれぞれ連設されて、Ｙ方向外側かつ下方に延在する上側傾斜部５２１ｂＡ，５２１ｂＡを備えている。また、天壁部５２１Ａは、各上側傾斜部５２１ｂＡ，５２１ｂＡの両端にそれぞれ連設されて、Ｙ方向外側に向けて水平に延在する中間平坦部５２１ｃＡ，５２１ｃＡを備えている。また、天壁部５２１Ａは、各中間平坦部５２１ｃＡ，５２１ｃＡの両端にそれぞれ連設されて、Ｙ方向外側かつ下方に延在する下側傾斜部５２１ｄＡ，５２１ｄＡを備えている。さらに、天壁部５２１Ａは、各下側傾斜部５２１ｄＡ，５２１ｄＡの両端にそれぞれ連設されて、Ｙ方向外側に向けて水平に延在する下側平坦部５２１ｅＡ，５２１ｅＡを備えている。そして、各下側平坦部５２１ｅＡ，５２１ｅＡのＹ方向の両端に、上述した側壁部５２２Ａが連設されている。
【００９４】
また、第２アーム部２０Ｂは、主に外壁をなす第２ケース２１０Ｂを備えており、この第２ケース２１０Ｂの回動連結部１１０側（ヘアーアイロン１０のＸ方向後側）が、第２把持部３０Ｂの外壁をなす第２把持部側ケース３１０Ｂとなっている。また、第２ケース２１０Ｂの先端側（ヘアーアイロン１０のＸ方向前側）が、第２毛髪挟持部４０Ｂの外壁をなす第２毛髪挟持部側ケース４１０Ｂとなっている。
【００９５】
本実施の形態１では、第２ケース２１０Ｂは、上方に開口した下側ハウジング２２０Ｂの開口部分を上側ハウジング２３０Ｂで覆うことで中空状に形成されている。
【００９６】
具体的には、上方に開口した第２把持部の下側ハウジング３２０Ｂの開口部分をカバー３３０Ｂで覆うことで、第２把持部側ケース３１０Ｂが中空状に形成されている。また、上方に開口した第２毛髪挟持部の下側ハウジング４２０Ｂの開口部分を第２毛髪挟持部材５０Ｂで覆うことで、第２毛髪挟持部側ケース４１０Ｂが形成されている。
【００９７】
このように、本実施の形態１では、下側ハウジング２２０Ｂは、第２把持部の下側ハウジング３２０Ｂと第２毛髪挟持部の下側ハウジング４２０Ｂとで形成されており、上側ハウジング２３０Ｂは、カバー３３０Ｂと第２毛髪挟持部材５０Ｂとで形成されている。
【００９８】
なお、本実施の形態１では、第２把持部の下側ハウジング３２０Ｂと第２毛髪挟持部の下側ハウジング４２０Ｂとが一体に形成されている。すなわち、下側ハウジング２２０Ｂの回動連結部１１０側が第２把持部の下側ハウジング３２０Ｂとなっており、下側ハウジング２２０Ｂの先端側が第２毛髪挟持部の下側ハウジング４２０Ｂとなっている。
【００９９】
また、カバー３３０Ｂと第２毛髪挟持部材５０Ｂとは別体に形成されており、下側ハウジング２２０Ｂの開口部分を覆うようにそれぞれの部材を取り付けた際に、上側ハウジング２３０Ｂが形成されるようになっている。
【０１００】
さらに、本実施の形態１では、第２ケース２１０Ｂ内の中空部Ｓ４が仕切り壁２４０Ｂによって第２把持部側の中空部Ｓ５と第２毛髪挟持部側の中空部Ｓ６とに仕切られている。
【０１０１】
この仕切り壁２４０Ｂは、下側ハウジング２２０ＢのＸ方向（長手方向：前後方向）における中央部の内側（上面側）からＺ方向の上側に向けて突出する壁部２２１Ｂを備えている。また、仕切り壁２４０Ｂは、カバー３３０ＢにおけるＸ方向前側の内側（下面側）からＺ方向の下側に向けて突出する壁部３３３Ｂを備えている。さらに、仕切り壁２４０Ｂは、パッキン２５０Ｂを備えており、壁部２２１Ｂと壁部３３３Ｂとでパッキン２５０Ｂを挟持することで、仕切り壁２４０Ｂが形成されている。
【０１０２】
そして、第２把持部側の中空部Ｓ５および第２毛髪挟持部側の中空部Ｓ６には、各種の電気部品が収容されている。
【０１０３】
本実施の形態１では、第２把持部側の中空部Ｓ５には、ヒータ（ヒータ５３０Ａやヒータ５３０Ｂ）を制御する制御装置３４０Ｂ等の電子部品（電気部品）が収容されている。一方、第２毛髪挟持部側の中空部Ｓ６には、ヒューズ５８２Ｂやサーミスタ５８３Ｂ等の電気部品が収容されている。この制御装置３４０Ｂは、パッキン２５０Ｂに形成された挿通孔２５１Ｂに挿通されたリード線５８１Ｂによって、ヒューズ５８２Ｂやサーミスタ５８３Ｂ等の電気部品に電気的に接続されている。
【０１０４】
こうすることで、第２把持部側の中空部Ｓ５に収容された制御装置３４０Ｂ等の電子部品（電気部品）の防水効果を高めることができるようになる。
【０１０５】
また、本実施の形態１では、下側ハウジング２２０Ｂの先端部（Ｘ方向前側の端部）２２２Ｂを、上側（第２毛髪挟持面５６０Ｂ側）に向けて湾曲させている。このように先端部２２２Ｂを湾曲させることで、ヘアーアイロン１０の使用時に、使用者が先端部２２２Ｂをつまむ際につまみやすくなるようにしている。さらに、先端部２２２Ｂには突部２２２ａＢが形成されており、この突部２２２ａＢを、先端部２２２Ｂをつまむ際の滑り止めとして機能させている。なお、突部２２２ａＢは、ヒータ５３０Ｂから先端部（使用者がつまむつまみ部）２２２Ｂに伝わる熱を放熱する機能も有している。
【０１０６】
また、カバー３３０Ｂの回動連結部１１０側（Ｘ方向後側）には、上述した筒部３３１Ｂが形成されており、カバー３３０Ｂの壁部３３３Ｂ側（Ｘ方向前側：第２毛髪挟持部材５０Ｂ側）には、下方（第２アーム部２０Ｂ側）に凹むストッパ溝部３３２Ｂが形成されている。この筒部３３１Ｂは、上述したように、筒部３３１Ａとともに位置ずれ抑制部１５０を構成するものである。
【０１０７】
一方、ストッパ溝部３３２Ｂは、ストッパ突起３３２Ａとともに、第１毛髪挟持部４０Ａの第２毛髪挟持部４０Ｂ側への相対移動を規制する規制部１７０を構成するものである。具体的には、第１ケース２１０Ａの第１把持部３０Ａ側の下部に、下方に向けて突出するストッパ突起３３２Ａを設けるとともに、第２ケース２１０Ｂの第２把持部３０Ｂ側の上部に下方に向けて凹むストッパ溝部３３２Ｂを設け、ストッパ突起３３２Ａの先端をストッパ溝部３３２Ｂの底面に当接させることで、第１アーム部２０Ａと第２アーム部２０Ｂとの閉じる方向への回動が規制されるようにしている。
【０１０８】
また、上側ハウジング２３０Ｂの一部を構成する第２毛髪挟持部材５０Ｂは、プレート部材５１０Ｂを備えており、このプレート部材５１０Ｂも、例えば、銅やアルミニウムなど熱伝導性の高い材料で形成されている。また、第２毛髪挟持部材５０Ｂは、第２毛髪挟持部の下側ハウジング４２０Ｂに支持されてプレート部材５１０Ｂを保持する保持部材５２０Ｂと、プレート部材５１０Ｂに熱的に接続されてプレート部材５１０Ｂに熱を伝達するヒータ５３０Ｂと、を備えている。
【０１０９】
プレート部材５１０Ｂは、略板状のプレート部５４０Ｂを備えており、このプレート部５４０Ｂの表面（上面）に、略平坦状の第２毛髪挟持面５６０Ｂが形成されている。本実施の形態１では、第２毛髪挟持面５６０Ｂは、平面視（下側から視た状態）で、第２ケース２１０Ｂの長手方向に細長い略長方形状に形成されている。
【０１１０】
さらに、プレート部５４０Ｂは、Ｙ方向（幅方向：第２毛髪挟持部４０Ｂの幅方向と同一の方向）の両端部が、第２ケース２１０Ｂの内側に向けて屈曲している。そして、第２毛髪挟持面５６０ＢのＹ方向（幅方向）の両端には、図５に示すように、幅方向断面視で、斜め外側に向けて凸となる湾曲面５６２Ｂが形成されている。
【０１１１】
すなわち、第２毛髪挟持面５６０Ｂは、幅方向中央部の平坦面（平坦部）５６１Ｂと、当該平坦面５６１Ｂの幅方向両端に形成される湾曲面５６２Ｂとで構成されている。
【０１１２】
さらに、プレート部材５１０Ｂは、プレート部５４０Ｂの背面側（下側）に内側（下側）を向くように連設された一対の脚部５５０Ｂを備えており、この一対の脚部５５０Ｂを保持部材５２０Ｂに保持させることで、プレート部材５１０Ｂが保持部材５２０Ｂに保持されるようにしている。そして、一対の脚部５５０Ｂの間に形成された収容部５７０Ｂに、ヒータ５３０Ｂが収容されている。このとき、収容部５７０Ｂに収容したヒータ５３０Ｂが、プレート部５４０Ｂの内面に当接するようにしている。
【０１１３】
さらに、収容部５７０Ｂにおけるヒータ５３０Ｂの背面側（下側）には、ヒューズ５８２Ｂやサーミスタ５８３Ｂ等の電気部品が収容されている。ここで、本実施の形態１では、収容部５７０Ｂは、第２毛髪挟持部側の中空部Ｓ６の一部を構成している。したがって、ヒューズ５８２Ｂやサーミスタ５８３Ｂ等の電気部品は、中空部Ｓ６の一部である収容部５７０Ｂに収容されている。
【０１１４】
また、本実施の形態１では、ヒータ５３０ＢとしてＰＴＣヒータ（Positive Temperature Coefficient ヒータ）を用いている。このように、ＰＴＣヒータを用いれば、連続的な温度制御を行うことが可能となる。ただし、加熱手段としてＰＴＣヒータを用いる必要はなく、ニクロム線ヒータやその他の加熱手段を用いるようにしてもよい。
【０１１５】
なお、ヒータ（発熱部）は、第１毛髪挟持部４０Ａおよび第２毛髪挟持部４０Ｂのいずれか一方のみに設けられるようにしてもよい。
【０１１６】
また、上述したように、本実施の形態１では、第２把持部側の中空部Ｓ５に、ヒータ（ヒータ５３０Ａやヒータ５３０Ｂ）を制御する制御装置３４０Ｂが収容されている。そして、この制御装置３４０Ｂによって、第１毛髪挟持面５６０Ａおよび第２毛髪挟持面５６０Ｂの温度を段階的に設定できるようにしている。
【０１１７】
具体的には、プレート部５４０Ｂの背面に、制御装置３４０Ｂに電気的に接続されたサーミスタ５８３Ｂを取り付けている。そして、このサーミスタ５８３Ｂの抵抗値、具体的には、ヒータ５３０Ｂの温度変化に伴って変化するサーミスタ５８３Ｂの抵抗値を利用して、制御装置３４０Ｂが、ヒータ（ヒータ５３０Ａやヒータ５３０Ｂ）の温度を制御するようにしている。
【０１１８】
なお、本実施の形態１では、プレート部５４０Ｂの背面には、ヒューズ５８２Ｂが設けられており、制御装置３４０Ｂの破損等により第１毛髪挟持面５６０Ａや第２毛髪挟持面５６０Ｂの温度が所定の温度を超えてしまった場合に、ヒータ（ヒータ５３０Ａやヒータ５３０Ｂ）への通電が遮断されるようにしている。このようなヒューズは、プレート部５４０Ａの背面にも設けるようにするのが好ましい。
【０１１９】
また、第１毛髪挟持部４０Ａおよび第２毛髪挟持部４０Ｂのうち少なくともいずれか一方は、毛髪挟持部のハウジング（第１毛髪挟持部の上側ハウジング４２０Ａ，第２毛髪挟持部の下側ハウジング４２０Ｂ）に対して上下方向（毛髪挟持面の法線方向）に相対的に往復移動可能に支持されるようにするのが好ましい。
【０１２０】
本実施の形態１では、第２毛髪挟持部材５０Ｂの４隅を、第２毛髪挟持部の下側ハウジング４２０Ｂ内に配置された４個のフロートばね５８４Ｂにて支持することで、第２毛髪挟持部材５０Ｂを第２毛髪挟持部の下側ハウジング４２０Ｂに対して上下移動できるようにしている。
【０１２１】
こうすれば、第１毛髪挟持面５６０Ａと第２毛髪挟持面５６０Ｂとの間に挟み込まれた毛髪に過度の負荷がかかってしまうのが抑制され、毛髪へのダメージを抑制することができるようになる。
【０１２２】
さらに、本実施の形態１では、第１アーム部２０Ａと第２アーム部２０Ｂとを閉じた状態において、第１毛髪挟持面５６０Ａと第２毛髪挟持面５６０Ｂとの間に所定の間隔ｄが形成されるようにしている。
【０１２３】
具体的には、ストッパ突起３３２Ａの先端をストッパ溝部３３２Ｂの底面に当接させた状態において、第１毛髪挟持面５６０Ａと第２毛髪挟持面５６０Ｂとの間に所定の間隔ｄが形成されるようにしている。さらに、第１毛髪挟持面５６０Ａの全面と第２毛髪挟持面５６０Ｂの全面との間に所定の間隔ｄが形成されるようにしている。
【０１２４】
また、上述したように、第１毛髪挟持部側の中空部Ｓ３内には、放電装置６００が設けられている（図５および図７参照）。
【０１２５】
本実施の形態１では、この放電装置６００は、放電極８３０を有する第１電極８００と、放電極８３０とは離間配置され、当該放電極８３０との間で放電を行う対極（放電極８３０と対になる電極）９１０を有する第２電極９００と、を備えている。
【０１２６】
さらに、放電装置６００は、第１電極８００を保持する電極保持部材７００を備えている。本実施の形態１では、電極保持部材７００が第１電極８００だけでなく第２電極９００も保持されるようにしている。そして、この電極保持部材７００は、第１毛髪挟持部材５０Ａの上部に載置されている（図８参照）。
【０１２７】
第１電極８００は、例えば、金属等により形成することができ、本実施の形態１では、略矩形板状の部材の両端側を同一の方向に折り曲げた形状をしている。そして、幅方向両端の折り曲げられた部位が、略矩形板状の電極本体部８１０，８１０となっており、２つの電極本体部８１０，８１０を連結する中央の略矩形板状の部位が連結部８２０となっている。
【０１２８】
また、電極本体部８１０を板厚方向から視た状態で、当該電極本体部８１０の一端側（連結部８２０側とは反対側）の辺部８１１に放電極８３０が形成されるようにしている。
【０１２９】
本実施の形態１では、辺部８１１に複数のスリットを設けることで、一端側に向けて突出する放電極８３０をこの辺部８１１に複数形成している。
【０１３０】
したがって、この辺部８１１を一端側（放電極８３０が突出している方向）から視ると、一方向に細長い（板厚方向が短手方向となる）長方形状をしている（図１１参照）。
【０１３１】
さらに、本実施の形態１では、複数の放電極８３０が、互いに形状の異なる二種類の放電極８３１，８３２を有するようにしている。
【０１３２】
具体的には、複数の放電極８３０のうち少なくとも１つの放電極８３０を、電極本体部８１０を板厚方向から視た状態で、幅狭、かつ、一端側に向けて尖った状態で突出する（先端が略針状となる）針状放電極８３１としている。
【０１３３】
また、複数の放電極８３０のうち少なくとも１つの放電極８３０を、電極本体部８１０を板厚方向から視た状態で、幅広、かつ、先端が平坦状となる板状放電極８３２としている。
【０１３４】
本実施の形態１では、各電極本体部８１０，８１０に、１つの針状放電極８３１と２つの板状放電極８３２，８３２とがそれぞれ形成されるようにしている。
【０１３５】
一方、第２電極９００は、対極９１０を備えており、例えば、金属等の略板状の部材をプレス成形することで形成することができる。本実施の形態１では、この第２電極９００は、長手方向（ヘアーアイロン１０を組み付けた状態では、Ｘ方向）の中央部に設けられた対極９１０と、対極９１０の長手方向（ヘアーアイロン１０を組み付けた状態におけるＸ方向）の両端に連設される一対の取付部９２０，９２０と、を備えている。
【０１３６】
さらに、本実施の形態１では、対極９１０の中央部にＸ方向に細長い貫通孔９１１が形成されており、対極９１０が略枠状に形成されている。
【０１３７】
また、各取付部９２０，９２０の短手方向の一端には、同一の方向に屈曲させた屈曲片９２１，９２１がそれぞれ形成されている。
【０１３８】
なお、本実施の形態１では、略同一形状をした第２電極９００が２つ配置されており、１つの第２電極９００の対極９１０と一方側の電極本体部８１０に形成された放電極８３０との間で放電を行うとともに、他の第２電極９００の対極９１０と他方側の電極本体部８１０に形成された放電極８３０との間で放電を行うようにしている。
【０１３９】
これらの放電極８３０や対極９１０は、５８１Ａを介して高出力回路３４０Ａに電気的に接続されており、放電極８３０の針状放電極８３１と対極９１０との間、板状放電極８３２と対極９１０との間に高電圧を印加して放電（コロナ放電等）を生じさせることができるようになっている。
【０１４０】
そして、第１電極８００と２つの第２電極９００が、電極保持部材７００に保持された状態で、第１毛髪挟持部側の中空部Ｓ３内に配置されている。
【０１４１】
電極保持部材７００は、第１電極８００を保持する基台部７１０を備えている。そして、この基台部７１０は、Ｙ方向（幅方向）の中央部で略水平に延在する平坦部７３０と、平坦部７３０のＹ方向（幅方向）の両端にそれぞれ連設されて、Ｙ方向外側かつ下方に延在する傾斜部７４０，７４０と、を備えている。なお、傾斜部７４０，７４０は、第１電極８００を取り付けた際に、電極本体部８１０，８１０が略平行に対向するように形成されている。
【０１４２】
また、本実施の形態１では、平坦部７３０の中央上部に、上方に突出する保持台７３１が設けられており、この保持台７３１の上部に第１電極８００の連結部８２０を取り付けることで、第１電極８００が電極保持部材７００に保持されるようにしている。
【０１４３】
具体的には、保持台７３１の上部には上方に突出する２つの位置決め突起７３１ａ，７３１ａが形成されている（図９参照）。そして、この位置決め突起７３１ａ，７３１ａを連結部８２０に形成された挿通孔８２１，８２１にそれぞれ挿通させた状態で、連結部８２０を保持台７３１に固定することで、第１電極８００が電極保持部材７００に保持されるようにしている。このとき、連結部８２０のＹ方向両側に形成された各放電極８３０，８３０は、それぞれ、Ｙ方向外側かつ下方に突出した状態で配置されることとなる。
【０１４４】
また、位置決め突起７３１ａ，７３１ａは、先端が連結部８２０よりも上方に位置するように形成されており、第１電極８００は、第１毛髪挟持部の上側ハウジング４２０Ａから離間した状態で配置されるようになっている。
【０１４５】
さらに、保持台７３１の下部には、図９に示すように、下方に突出する脚部７３２が４つ形成されている。そして、この４つの脚部７３２を上側平坦部５２１ａＡ上に載置させている（図５および図８参照）。
【０１４６】
また、電極保持部材７００は、第２電極９００を保持する第２電極保持部７２０を備えている。本実施の形態１では、この第２電極保持部７２０は、平坦部７３０の４隅に設けられており、各第２電極保持部７２０が、平坦部７３０にそれぞれ一体に設けられている。
【０１４７】
本実施の形態１では、各第２電極保持部７２０は、下方に突出する脚部７５０と、Ｙ方向外側に略水平に延在する延設部７６０と、下方に向けて略垂直に延在する延設部７７０と、を備えている。
【０１４８】
そして、Ｙ方向一方側にＸ方向に並ぶように形成された２つの脚部７５０，７５０の下面７５１，７５１には、１つの第２電極９００に形成された屈曲片９２１，９２１がそれぞれ取り付けられている。
【０１４９】
また、各延設部７６０の先端には係合爪７６１がそれぞれ設けられており、Ｙ方向一方側にＸ方向に並ぶように形成された２つの係合爪７６１，７６１に、１つの第２電極９００に形成された取付部９２０，９２０の端部９２０ａ，９２０ａを係合させている。
【０１５０】
また、各延設部７７０の先端には係合爪７７１がそれぞれ設けられており、Ｙ方向一方側にＸ方向に並ぶように形成された２つの係合爪７７１，７７１に、１つの第２電極９００に形成された取付部９２０，９２０の屈曲片９２１，９２１を係合させている。
【０１５１】
こうすることで、第２電極９００を第２電極保持部７２０に保持させている。
【０１５２】
なお、各延設部７７０は、各脚部７５０の下面７５１よりも下方に突出するように形成されており、この４つの延設部７７０の下端を、中間平坦部５２１ｃＡ，５２１ｃＡ上に載置させている（図５および図８参照）。
【０１５３】
このように、下面７５１よりも下方に突出させた延設部７７０の下端を中間平坦部５２１ｃＡ，５２１ｃＡ上に載置させるようにすることで、第２電極９００が、保持部材５２０Ａから離間した状態で配置されるようにしている。
【０１５４】
また、もう１つの第２電極９００も同様の方法で、Ｙ方向他方側の第２電極保持部７２０，７２０に保持されている。
【０１５５】
そして、本実施の形態１では、第１電極８００および第２電極９００を電極保持部材７００に保持した状態で、対極９１０が、放電極８３０の突出方向に略直交する方向に延在するようにしている。
【０１５６】
さらに、放電極８３０が形成された辺部８１１を、放電極８３０の突出方向から視た際に、この辺部８１１が、対極９１０に形成された貫通孔９１１の略中央に位置するようにしている（図１１参照）。すなわち、枠状に形成された対極９１０が、辺部８１１を一端側から視た状態で、辺部８１１の四方を囲うように（Ｘ方向に細長い長方形状の４辺の全てに沿うように）配置されるようにしている。
【０１５７】
なお、対極９１０は枠状に形成する必要はなく、辺部８１１の少なくとも二方を囲うように配置されていればよい。例えば、２本の直線状の対極を、辺部８１１の２つの長辺に沿うように配置させることもできるし、略Ｌ字状をした対極を、辺部８１１の長辺および短辺に沿うように配置させることもできる。
【０１５８】
なお、本実施の形態１では、第２電極保持部７２０は、絶縁壁７８０をさらに備えており、この絶縁壁７８０によって、放電極８３０と取付部９２０，９２０との間で放電が生じてしまうのが抑制されるようにしている。
【０１５９】
このような放電装置６００としては、例えば、帯電微粒子液体（例えば、ミストなど）を生成する帯電微粒子発生装置や金属微粒子を生成する金属微粒子発生装置を用いることができる。
【０１６０】
そして、このような放電装置（帯電微粒子発生装置や金属微粒子発生装置）６００で生成されたイオン（ミストなどの帯電微粒子液体や金属微粒子）が、イオン放出口４２１Ａから外部に放出されるようにしている。こうすることで、放電装置６００で生成されたイオンが、イオン放出口４２１Ａを通って毛髪に供給されるようにし、髪ケア効果をより向上させることができるようにしている。
【０１６１】
本実施の形態１では、第１毛髪挟持部の上側ハウジング４２０ＡのＹ方向両側に、イオン放出口４２１Ａ，４２１Ａが、それぞれ第１毛髪挟持部側の中空部Ｓ３と連通するように形成されている。
【０１６２】
そして、放電極８３０が形成された辺部８１１が、このイオン放出口４２１Ａ，４２１Ａに臨むように配置されている。すなわち、イオン放出口４２１Ａ，４２１Ａは、放電極８３０の突出方向に位置するように、第１毛髪挟持部の上側ハウジング４２０Ａに形成されている。
【０１６３】
さらに、本実施の形態１では、第１毛髪挟持部４０Ａ内に、放電極８３０に水等の液体を供給するための液体通路４４０Ａが形成されている。そして、この液体通路４４０Ａの上流端には液体を液体通路４４０Ａ内に導入するための液体吸入口５６３Ａが形成されている。
【０１６４】
本実施の形態１では、液体吸入口５６３Ａは、第１毛髪挟持面５６０ＡのＹ方向の両端に形成されている。具体的には、第１毛髪挟持面５６０ＡのＹ方向の一端側に、Ｘ方向に並ぶように複数の液体吸入口５６３Ａが並設されており、第１毛髪挟持面５６０ＡのＹ方向の他端側に、Ｘ方向に並ぶように複数の液体吸入口５６３Ａが並設されている（図６参照）。
【０１６５】
そして、本実施の形態１では、この液体吸入口５６３Ａは、プレート部５４０Ａに形成された貫通孔５４１Ａの下端に形成されている。
【０１６６】
このように、本実施の形態１では、プレート部５４０Ａに形成された貫通孔５４１Ａが液体通路４４０Ａの一部を構成している。
【０１６７】
また、図５に示すように、側壁部５２２Ａには窓部５２２ａＡが形成されており、この窓部５２２ａＡも、液体通路４４０Ａの一部を構成している。
【０１６８】
そして、第１電極８００（電極本体部８１０）を保持する電極保持部材（電極保持部）７００における放電極８３０の下方（近傍）にも貫通孔７００ａが形成されており、この貫通孔７００ａも液体通路４４０Ａの一部を構成している。
【０１６９】
このように、本実施の形態１では、液体通路４４０Ａは、液体吸入口５６３Ａを有する貫通孔５４１Ａと、脚部５５０Ａと側壁部５２２Ａとの間の空間と、窓部５２２ａＡと、を有している。また、液体通路４４０Ａは、側壁部５２２Ａと第１毛髪挟持部の上側ハウジング４２０Ａとの間の空間と、保持部材５２０Ａの天壁部５２１Ａと電極保持部材７００の基台部７１０との間の空間と、貫通孔７００ａと、を有している。
【０１７０】
なお、上述したように、液体吸入口５６３Ａは、第１毛髪挟持面５６０Ａおよび第２毛髪挟持面５６０Ｂで挟まれた毛髪が保持する水分などの液体（その他の例としては、毛髪用トリートメント剤などがあげられる）を液体通路４４０Ａ内に導入するために形成されている。
【０１７１】
一方、イオン放出口４２１Ａは、針状放電極８３１（放電極８３０）と対極９１０との間、板状放電極８３２（放電極８３０）と対極９１０との間で放電を生じさせて生成されたイオン（マイナスイオンやプラスイオン）や帯電微粒子液体を、第１毛髪挟持部側の中空部Ｓ３の外部に放出して毛髪に供給できるようにするために形成されている。
【０１７２】
したがって、ヘアーアイロン１０の使用時には、第１毛髪挟持面５６０Ａおよび第２毛髪挟持面５６０Ｂで挟まれた毛髪が保持する水分などの液体が液体吸入口５６３Ａから液体通路４４０Ａ内に導入されることとなる。
【０１７３】
そして、液体通路４４０Ａ内に導入された水分などの液体は、針状放電極８３１（放電極８３０）や板状放電極８３２（放電極８３０）に接触して結露することとなる。このとき、放電極８３０として板状放電極８３２を用いることで、電極の露出面積が大きくなり、水分などの液体をより効率的に結露させることができる。
【０１７４】
さらに、複数の放電極８３０は、対極９１０側に、対極９１０と対向するように、複数のスリットによってＸ方向に分離された状態で形成されている。したがって、電極本体部８１０の一端側の辺部８１１における対極９１０と対向する部位に仮想の針が複数形成されることとなり、高電圧を印加した際には、この仮想の針部分に電界集中を生じさせることができるようになる。その結果、より効率的に放電を行うことが可能となる。
【０１７５】
なお、水分などの液体を結露させない状態で、放電を行い、イオンのみ生成するようにしてもよい。
【０１７６】
また、放電を生じさせる際には、電極間にマイナス電圧を印加してマイナスイオンを発生させるようにしてもよいし、電極間にプラス電圧を印加してプラスイオンを発生させるようにしてもよい。
【０１７７】
また、マイナス電圧とプラス電圧を交互に印加して、マイナスイオンとプラスイオンを交互に発生させるようにしてもよいし、複数の電極のいずれかにマイナス電圧を印加し、その他の電極のいずれかにプラス電圧を印加することで、マイナスイオンとプラスイオンを同時に発生させるようにしてもよい。
【０１７８】
ここで、上記構成のヘアーアイロン１０を用いた場合の作用の一例を説明する。
【０１７９】
まず、ヘアーアイロン１０に設けられた図示せぬ操作スイッチを操作することで、ヒータ（ヒータ５３０Ａやヒータ５３０Ｂ）を通電させる。こうすることで、ヒータ（ヒータ５３０Ａやヒータ５３０Ｂ）が発熱し、発熱したヒータ（ヒータ５３０Ａやヒータ５３０Ｂ）からプレート部５４０Ａおよびプレート部５４０Ｂに熱が伝達される。こうすることで、プレート部５４０Ａおよびプレート部５４０Ｂが加熱される。
【０１８０】
そして、第１毛髪挟持面５６０Ａと第２毛髪挟持面５６０Ｂとを所定温度（例えば、１７０℃）となるように加熱する。
【０１８１】
このとき、針状放電極８３１と対極９１０との間に高電圧が印加され、放電（コロナ放電等）が生じ、主にイオン（マイナスイオンやプラスイオン）が生成される。一方、板状放電極８３２と対極９１０との間に高電圧が印加され、放電（コロナ放電等）が生じ、主に帯電微粒子液体が生成される。そして、生成されたイオン（マイナスイオンやプラスイオン）や帯電微粒子液体がイオン放出口４２１Ａから放出される。
【０１８２】
そして、第１毛髪挟持面５６０Ａおよび第２毛髪挟持面５６０Ｂを加熱しつつ、イオン（マイナスイオンやプラスイオン）や帯電微粒子液体をイオン放出口４２１Ａから放出させた状態で、毛髪を第１毛髪挟持面５６０Ａと第２毛髪挟持面５６０Ｂとの間に挟み込む。
【０１８３】
その後、カール状の癖付けを施す場合には、毛髪を挟んだ状態でヘアーアイロン１０を半回転以上させて、第１毛髪挟持面５６０Ａと第２毛髪挟持面５６０Ｂとで挟み込まれていない部位の毛髪を外表面（外表面４２０ａＡや外表面４２０ａＢ）に螺旋状に巻き付ける。
【０１８４】
そして、毛髪を外表面（外表面４２０ａＡや外表面４２０ａＢ）に押し当てた状態で、ヘアーアイロン１０を、毛髪に沿って滑らせながら毛先に向けて引き下ろすことで、毛髪にカール状の癖付けが施される。
【０１８５】
一方、ストレート状の癖付けを施す場合には、毛髪を第１毛髪挟持面５６０Ａと第２毛髪挟持面５６０Ｂとの間に挟み込んだ状態で、ヘアーアイロン１０を回転させずに、毛髪に沿って滑らせながら毛先に向けて引き下ろす。こうすることで、毛髪にストレート状の癖付けが施される。
【０１８６】
このとき、毛髪は、生成されたイオン（マイナスイオンやプラスイオン）や帯電微粒子液体が供給されながらカール状やストレート状の癖付けが施されることとなる。例えば、ミストを生成する帯電微粒子発生装置を配置すれば、コロナ放電等の放電作用によって結露水が微粒化されることとなって、ナノメータサイズの非常に細かいミスト（マイナスイオンを含むマイナスに帯電されたミスト）が生成されて、当該ミストが毛髪に供給されることとなる。
【０１８７】
また、金属微粒子発生装置を配置すれば、コロナ放電等の放電作用によって放電極８３０や対極９１０等から金属微粒子（金属の分子やイオン等）を放出させて、当該金属微粒子が毛髪に供給されることとなる。
【０１８８】
この金属微粒子発生装置の放電極や対極は、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等で構成することが可能である。
【０１８９】
ここで、放電部で生成され放出された金属の微粒子に、金や、銀、銅、亜鉛等が含まれている場合には、当該金属の微粒子によって抗菌作用を生じさせることができる。また、金属の微粒子に、白金、亜鉛、チタン等が含まれている場合には、当該金属の微粒子によって抗酸化作用を生じさせることができる。
【０１９０】
なお、白金の微粒子は、抗酸化作用が極めて高いことが判明している。また、金属微粒子の放出をさせない部分（例えば、グランド電極として機能させる電極等）は、ステンレススチールや、タングステン等を用いて構成することができる。
【０１９１】
また、放電部は、放電作用によってイオン（例えばマイナスイオン、例えばＮＯ２−、ＮＯ３−等）を生じさせ、このイオンを、放電極や、対極、他の金属材料や金属成分を含む部材等に衝突させることで、金属微粒子を生成するものであってもよい。すなわち、対極や上記他の部材を、上記遷移金属を含む材料によって構成し、これらから金属微粒子を放出させるようにしてもよい。
【０１９２】
こうすることで、ヘアーアイロン１０を用いて毛髪を施術した際に、毛髪が施術により傷んでしまうのを抑制することができるようになる。
【０１９３】
以上説明したように、本実施の形態１にかかるヘアーアイロン１０は、第１毛髪挟持面５６０Ａを有する第１毛髪挟持部４０Ａと、第１毛髪挟持面５６０Ａに対向可能な第２毛髪挟持面５６０Ｂを有する第２毛髪挟持部４０Ｂと、を備えている。このヘアーアイロン１０は、第１毛髪挟持面５６０Ａと第２毛髪挟持面５６０Ｂとを対向させた状態で毛髪が狭持されるものである。
【０１９４】
また、第１毛髪挟持部４０Ａ内にはイオンを生成する放電装置６００が配置されており、第１毛髪挟持部４０Ａには放電装置６００で生成されたイオンを外部に放出するイオン放出口４２１Ａが形成されている。
【０１９５】
また、放電装置６００は、放電極８３０を有する第１電極８００を備えており、第１電極８００は、略板状に形成された電極本体部８１０を備えている。
【０１９６】
そして、電極本体部８１０を板厚方向から視た状態で、電極本体部８１０の一端側の辺部８１１に放電極８３０が複数形成されており、複数の放電極８３０が、互いに形状の異なる二種類の放電極８３１，８３２を有するものである。
【０１９７】
このように、略板状の電極本体部８１０の一端側の辺部８１１に放電極８３０が形成されるようにすれば、第１毛髪挟持部４０Ａ内における放電装置６００の配置スペースを極力小さくすることが可能となって、ヘアーアイロン１０のスリム化を図ることができるようになる。さらに、複数の放電極８３０が、互いに形状の異なる二種類の放電極８３１，８３２を有するようにすれば、二種類の放電極８３１，８３２の主な働きを異ならせることができるようになるため、髪ケア効果をより向上させることができるようになる。
【０１９８】
このように、本実施の形態１にかかるヘアーアイロン１０によれば、髪ケア効果を高めつつスリム化を図ることができるようになる。
【０１９９】
また、本実施の形態１では、放電装置６００が、放電極８３０とは離間配置され、当該放電極８３０との間で放電を行う対極９１０を有する第２電極９００を備えている。
【０２００】
そして、辺部８１１を一端側から視た状態で、対極９１０が、辺部８１１の少なくとも二方を囲うように配置されている。
【０２０１】
このように、略板状の電極本体部８１０の一端側の辺部８１１に放電極８３０が形成されるようにするとともに、放電極８３０との間で放電を行う対極９１０を放電極８３０が形成された辺部８１１の少なくとも二方を囲うように配置すれば、対極９１０側における電解集中を緩和させることができるようになる。その結果、放電極８３０と対極９１０との間でアーク放電が発生してしまうのを抑制することができるようになるため、対極９１０を放電極８３０により近づけることができるようになって、第１毛髪挟持部４０Ａ内における放電装置６００の配置スペースを極力小さくすることが可能となる。
【０２０２】
また、本実施の形態１では、対極９１０が枠状に形成されており、辺部８１１を一端側から視た状態で、辺部８１１の四方を囲うように配置されている。
【０２０３】
こうすれば、対極９１０側における電解集中をより緩和させることができるようになるため、対極９１０を放電極８３０により近づけることができるようになる。その結果、第１毛髪挟持部４０Ａ内における放電装置６００の配置スペースをより小さくすることが可能となる。
【０２０４】
また、本実施の形態１では、第１毛髪挟持部４０Ａ内に、液体吸入口５６３Ａを有し、放電極８３０に液体を供給する液体通路４４０Ａが形成されている。
【０２０５】
こうすれば、放電装置６００自体に液体供給機構を設けることなく、放電装置６００にて液体を帯電微粒子化させることができるようになる。
【０２０６】
また、本実施の形態１では、第１毛髪挟持部４０Ａ内に、電極本体部８１０を保持する電極保持部材（電極保持部）７００を形成するとともに、電極保持部材（電極保持部）７００における放電極８３０の下方（近傍）に、液体通路４４０Ａの一部を構成する貫通孔７００ａが形成されている。
【０２０７】
こうすれば、液体通路４４０Ａの省スペース化を図ることが可能となる上、液体吸入口５６３Ａから導入された液体をより効率よく放電極８３０に供給することができるようになる。
【０２０８】
また、電極保持部材（電極保持部）７００における放電極８３０の下方に、液体通路４４０Ａの一部を構成する貫通孔７００ａを形成すれば、液体通路４４０Ａが、Ｙ方向に延在するイオンの放出通路と干渉してしまうのを抑制することができるようになる。さらに、放電極８３０の下方に貫通孔７００ａを形成することで、放電極８３０と対極９１０との間の電解集中バランスがよくなり、より安定して放電を行うことができるようになる。
【０２０９】
また、本実施の形態１では、第１毛髪挟持面５６０Ａに液体吸入口５６３Ａが形成されている。
【０２１０】
このように、第１毛髪挟持面５６０Ａの中に液体吸入口５６３Ａが形成されるようにすれば、第１毛髪挟持面５６０Ａの外側に液体吸入口の形成位置を確保する必要がなくなるため、ヘアーアイロン１０のより一層のスリム化を図ることができるようになる。
【０２１１】
また、本実施の形態１では、液体吸入口５６３Ａが第１毛髪挟持面５６０Ａの端部に形成されている。
【０２１２】
こうすれば、第１毛髪挟持面５６０Ａにおける毛髪を挟持する部分が液体吸入口５６３Ａによって分断されてしまうのを抑制することができるようになる。その結果、毛髪への施術効果が損なわれてしまうのを抑制しつつ、ヘアーアイロン１０のより一層のスリム化を図ることができるようになる。
【０２１３】
以上、本発明の好適な実施形態について説明したが、本発明は上記実施の形態には限定されず、種々の変形が可能である。
【０２１４】
例えば、第１毛髪挟持面と第２毛髪挟持面とが当接可能なヘアーアイロンに放電装置６００を適用することも可能である。
【０２１５】
また、辺部に形成される複数の放電極が同一形状をしていてもよいし、辺部に１つの放電極が形成されていてもよい。
【０２１６】
また、対極を板状放電極や針状放電極に対向させないようにすることも可能である。
【０２１７】
また、対極を設けず、放電極とその近傍にある構成部材との間で放電を行うようにしてもよい。
【０２１８】
また、上側毛髪挟持部側だけでなく下側毛髪挟持部にも放電装置を設けるようにしてもよいし、下側毛髪挟持部のみに放電極を設けるようにしてもよい。なお、下側毛髪挟持部のみに放電極を設けた場合、下側毛髪挟持部が第１毛髪挟持部、上側毛髪挟持部が第２毛髪挟持部となる。
【０２１９】
また、把持部や毛髪挟持部、その他細部のスペック（形状、大きさ、レイアウト等）も適宜に変更可能である。
【産業上の利用可能性】
【０２２０】
以上のように、本発明にかかるヘアーアイロンは、髪ケア効果を高めつつスリム化を図ることができるため、例えば、ペット用のヘアーアイロンまたは衣料等に用いられる化学繊維の加工装置におけるアイロンの用途に適用され得る。
【符号の説明】
【０２２１】
１０  ヘアーアイロン
２０Ａ  第１アーム部
４０Ａ  第１毛髪挟持部
４４０Ａ  液体通路
５６０Ａ  第１毛髪挟持面
５６３Ａ  液体吸入口
２０Ｂ  第２アーム部
４０Ｂ  第２毛髪挟持部
５６０Ｂ  第２毛髪挟持面
６００  放電装置
７００  電極保持部材（電極保持部）
７００ａ  貫通孔（液体通路の一部）
８００  第１電極
８１０  電極本体部
８１１  辺部
８３０  放電極
８３１  針状放電極
８３２  板状放電極
９００  第２電極
９１０  対極
【図１】
2018102540.tif 000003
【図２】
2018102540.tif 000004
【図３】
2018102540.tif 000005
【図４】
2018102540.tif 000006
【図５】
2018102540.tif 000007
【図６】
2018102540.tif 000008
【図７】
2018102540.tif 000009
【図８】
2018102540.tif 000010
【図９】
2018102540.tif 000011
【図１０】
2018102540.tif 000012
【図１１】
2018102540.tif 000013